(57)【要約】【課題】  装飾効果を持ち、明度の高い光を発する照明器具を提供する。【解決手段】  ランプケース１、宝石２及び発光部品３を含む。ランプケース１は内部に設置部１１を設置し、ランプケース１の内周縁上において発光部品３を設置する。宝石２はランプケース１の設置部１１に挟まれランプケース１中央において固定される。宝石２は透光性を具え、その表面上には若干のカッティング面２１を具える。これにより、光源は照射時に異なる角度の折射を発することが可能である。実施時には発光部品３の明るい光は直接或いは間接的に宝石２上に投射され、宝石２上に設置するカッティング面２１を通して、異なる角度で複数回の折射及び反射を行った後、目に鮮やかな明るい光線を発する。こうして、照明器具に付加価値を与えることが可能となる。さらにランプケース１内に折射面を具えるシェードを設置し、宝石が生じる明度の高い光を折射する。【選択図】    図１
0003110149.tif 000002
【実用新案登録請求の範囲】
【請求項１】
ランプケース、宝石及び発光部品を含み、
前記ランプケース内には設置部を設置し宝石を設置し、前記宝石に対応し前記ランプケース内には前記発光部品を設置し、前記発光部品の明るい光は前記宝石上に投射され、前記宝石は明度の高い光を生じることを特徴とする明度の高い光を発する照明器具。
【請求項２】
前記ランプケース内には別に前記宝石の設置位置に第一シェードを設置することを特徴とする請求項１記載の明度の高い光を発する照明器具。
【請求項３】
前記ランプケース内には前記第一シェードに対応し、第二シェードを設置することを特徴とする請求項２記載の明度の高い光を発する照明器具。
【請求項４】
前記ランプケース外には前記第一シェードと相互に接続する伝動ユニットを設置し、前記第一シェードは前記ランプケース内において前記宝石に対応し回転することを特徴とする請求項２記載の明度の高い光を発する照明器具。
【請求項５】
前記ランプケース外には前記第一シェードと相互に接続する伝動ユニットを設置し、前記第一シェードは前記宝石に対して直線移行することを特徴とする請求項２記載の明度の高い光を発する照明器具。
【請求項６】
前記第一シェードは凸面を設置し、前記凸面周縁には折射面を設置することを特徴とする請求項２記載の明度の高い光を発する照明器具。
【請求項７】
前記ランプケース外には前記第二シェードと相互に接続する伝動ユニットを設置し、前記第二シェードは前記ランプケース内において前記第一シェードに対して回転することを特徴とする請求項３記載の明度の高い光を発する照明器具。
【請求項８】
前記ランプケース外には前記第二シェードと相互に接続する伝動ユニットを設置し、前記第二シェードは前記宝石に対して直線移行することを特徴とする請求項３記載の明度の高い光を発する照明器具。
【請求項９】
前記第二シェードは凸面を設置し、前記凸面周縁には折射面を設置することを特徴とする請求項３記載の明度の高い光を発する照明器具。
【請求項１０】
前記ランプケースは第一ケース体及び第二ケース体に分けて設置し、前記第一ケース体及び前記第二ケース体が相互に接続し組合せてランプケースを形成することを特徴とする請求項１記載の明度の高い光を発する照明器具。
【請求項１１】
前記ランプケース内周面には反射面を設置することを特徴とする請求項１記載の明度の高い光を発する照明器具。
【請求項１２】
ランプケース及び宝石を含み、外部光源を用い実施し、
前記ランプケース内には設置部を設置し、宝石を設置、外部光源より前記宝石に照射する時、前記光源は前記宝石を経て明度の高い光を発することを特徴とする明度の高い光を発する照明器具。
【請求項１３】
前記ランプケース内周面には反射面を設置することを特徴とする請求項１２記載の明度の高い光を発する照明器具。
【考案の詳細な説明】
【技術分野】
【０００１】
本考案は、照明器具に関し、特に明度の高い光を発する照明器具に関する。
【背景技術】
【０００２】
現在市販されている各種の照明器具は主に、ランプケース及び発光体により構成される。ランプケース内周囲面には若干の反射面を設置し、ランプケース内部の中央位置には発光体(ランプ或いは発光ダイオード)を設置し、発光体がランプケース内において発光する時、その光源はランプケース内面の反射面を通して反射し、照明器具の明度を高める。
【考案の開示】
【考案が解決しようとする課題】
【０００３】
しかしながら、公知の照明器具は光源反射において、発光体の色彩を単に直接反射するだけであるため、その発光の状態は非常に単調で、一切の裝飾效果を持たず、鮮やかな明るい光線も発しないため、市場での受けは極めて低い。
【０００４】
したがって本考案の目的は、装飾効果を持ち、明度の高い光を発する照明器具を提供することにある。
【課題を解決するための手段】
【０００５】
上述の目的を達成するために本考案の請求項に記載の明度の高い光を発する照明器具は、ランプケース、宝石及び発光部品を含む。
ランプケース内には設置部を設置し宝石を設置し、宝石に対応し、ランプケース内に発光部品を設置し、発光部品の明るい光を宝石上に投射させ、宝石上に設置するカッティング面を通して明度の高い光を発する。
【０００６】
さらにそれは明度を高める設計を設置可能で、設計は主にランプケース内において少なくとも一組以上のシェードを設置し、シェード上には折射面を具え、これにより宝石が生じる明度の高い光はシェードの折射面を通して折射する。
【０００７】
またそれは、明度の高い光に多様を持たせることが可能であり、ランプケース内に設置するシェードは伝動ユニットに連動され、宝石に相対し転動或いは直線移行を行う。これにより宝石が発する明度の高い光は回転或いは移行中のシェード折射面を通して折射する。
【０００８】
上記のように、本考案はダイヤモンドのような明るく輝く光線を投射可能で、これに透明度の高い透過シェードを組合せ、多様性を楽しむことが可能である。
【考案を実施するための最良の形態】
【０００９】
以下、本考案の実施例を図面に基づいて説明する。
図１に示すように、本考案の第１実施例による照明器具はランプケース１、宝石２及び発光部品３を含む。ランプケース１は内部に設置部１１（設置部１１は本実施例中では数本の棒状クリップを例とする）を設置し、ランプケース１の内周縁上において発光部品３を設置する。
【００１０】
宝石２はランプケース１の設置部１１に挟まれランプケース１中央において固定される。宝石２は透光性を具え、その表面上には若干のカッティング面２１を具える。これにより、光源は照射時に異なる角度の折射を発することが可能である。本実施例中では、宝石２はダイヤモンドを例とする。
【００１１】
実施時には発光部品３の明るい光は直接或いは間接的に宝石２上に投射され、宝石２上に設置するカッティング面２１を通して、異なる角度で複数回の折射及び反射を行った後、目に鮮やかな明るい光線を発する。こうして、照明器具に付加価値を与えることが可能となる。
【００１２】
最良の效果を発揮するため、本考案は以下の最適実施例を提供する。
図２に示すように、本考案の第２実施例による照明器具は上記第１実施例とほぼ同様であるが、発光部品３Ａのランプケース１内における設置位置を変更し、発光部品３Ａの位置の変化を利用し、宝石２の光線を一層鮮やかにすることが可能である。
【００１３】
すなわち、発光部品３Ａはすべてランプケース１の設置部１１内に設置し、宝石２底部に対して、発光部品３Ａが宝石２底部より発光する時、光線は宝石２上のカッティング面２１を通して鮮やかな明るい光を発する。これにより、照明器具が発する明度の高い光は宝石２のカッティング面２１の助けを借りて折射し、一層目に鮮やかな光となる。
【００１４】
本実施例では発光部品３、発光部品３Ａを使用せず、外部光源（自然光或いは室内の一般蛍光灯光など）を用い、宝石２の折射或いは反射により、同様に明度の高い效果を達成する。
【００１５】
次に本考案の第３実施例による照明器具はランプケース１Ａ、宝石２、発光部品３Ａ、嵌接リング４及び第一シェード５を含む。
発光部品３Ａ及び宝石２は上記第２最適実施例と同様であるため、ここでは触れない。
ランプケース１Ａ内に設置部１１Ａを設置し、ランプケース１Ａの外周には欠口１２Ａを開設し、それに対応し伝動ユニット１３Ａを設置する。伝動ユニット１３Ａは欠口１２Ａ上において伝動輪１３１Ａ（本実施例中では伝動ユニット１３Ａはモーターであることが望ましい）を設置し、欠口１２Ａのランプケース１Ａ内周縁上に対応し、支持部１４Ａを設置する。本実施例中では支持部１４Ａは輔助輪である。
【００１６】
嵌接リング４外周には伝動ユニット１３Ａと噛合い伝動する歯車４１を設置し、内圈は第一シェード５の周縁と固定、結合する。内周縁と外周縁間には支持部１４Ａと対応する槽道４２を設置する。
【００１７】
第一シェード５は透光可能なカバー体で、上部には凸面５１を設置し、凸面５１周縁には若干の折射面５２を形成する。これにより、嵌接リング４は第一シェード５を固結し、相対的に宝石２に対して出光ルートとなり、ランプケース１Ａ内に設置する。ランプケース１Ａ内周の支持部１４Ａに槽道４２中において嵌設される。こうして、嵌接リング４の歯車４１と伝動ユニット１３Ａの伝動輪１３１Ａは相互に噛合う。
【００１８】
実施時には、嵌接リング４は伝動ユニット１３Ａの伝動輪１３１Ａにより連動され、宝石２に対応し回転する。これにより宝石２のカッティング面２１が反射する明度の高い光は第一シェード５凸面５１上に設置する折射面５２を透過し、明度の高い光は再度折射し、第一シェード５の転動を通して、明度の高い光は多様を具え、動きのある光を形成する。
【００１９】
続いて本考案の第４実施例による照明器具は、上記第３実施の第一シェード５以外に、第二シェード６を設置する。
第二シェード６はランプケース１Ｂの外周に欠口１２Ｂを開設し、ランプケース１Ｂの外周縁に上記実施例同様の伝動ユニット１３Ｂを設置する。伝動ユニット１３Ｂは伝動輪１３１Ｂを具え、欠口１２Ｂ中に延伸し、ランプケース１Ｂの内周には支持部１４Ｂを設置する。本実施例中において支持部１４Ｂは輔助輪である。
第二シェード６外周には嵌接リング４を嵌設し、嵌接リング４の歯車４１と組伝動ユニット１３Ｂの伝動輪１３１Ｂは噛合い伝動し、第二シェード６は第一シェード５に相対し転動する。
【００２０】
実施時には、二組の伝動ユニット１３Ｂはそれぞれ第一シェード５及び第二シェード６の相対転動を連動し、発光部品３Ａが宝石２に対応し発光する時、宝石２が発する明度の高い光は転動中の第一シェード５を通して第二シェード６上に投射され、さらに転動中の第二シェード６を通して、明度の高い光は外へと投射される。こうして明度の高い光の效果を強化することができる。第一シェード５と第二シェード６の転動方向は相互に反対方向とし、明度の高い光の多様性をさらに際立たせる。
【００２１】
次に本考案の第５実施例による照明器具は図５に示すように、そのおよその構造型態は上記第３最適実施例と同様である。それは、ランプケース１Ｃ上に滑移槽１２Ｃを開設し、外周縁には伝動ユニット１３Ｃを設置する。本実施例中では伝動ユニット１３Ｃの伝動軸心は導螺桿である。
【００２２】
第一シェード５に設置する嵌接リング４Ａ外周縁には内部にネジ刻み孔を具えたソケット４１Ａを形成し、ランプケース１Ｃの滑移槽１２Ｃより伸び出し、伝動ユニット１３Ｃの伝動軸心上に嵌接する。嵌接リング４Ａの外周にはソケット４１Ａに対応し枢孔４２Ａを設置し、これにより導桿１５はランプケース１Ｃ内面に設置される。これにより、伝動ユニット１３Ｃの伝動軸心が転動する時、嵌接リング４Ａ上のソケット４１Ａは嵌接リング４Ａを連動し、第一シェード５はそれに従い導桿１５に沿って宝石２に対して直線滑移動を行い、発光部品３Ａは宝石２上に投射し明度の高い光を発する。こうして、第一シェード５は宝石２に対して近くに移動し或いは遠くに離れて行く。異なる折射及び反射效果を達成し、明度の高い光は豊富な多様性を持つこととなる。
【００２３】
さらに本考案の第６実施例による照明器具は、図６に示すように、およその構造型態は上記第５最適実施例と同様である。それはランプケース１Ｃ内に第一シェード５を設置する他に、一組の第二シェード６、嵌接リング４Ａを設置する。本実施例中ではランプケース１Ｃ内周に設置する第二シェード６、嵌接リング４Ａは同様に伝動ユニット１３Ｃの連動を受ける。嵌接リング４Ａ上にはソケット４１Ａと枢孔４２Ａを設置し、それぞれ伝動ユニット１３Ｃの伝動軸心及び導桿１５を嵌設する。
【００２４】
実施時には、伝動ユニット１３Ｃを転動させ、第一シェード５と第二シェード６は宝石２に対して直線で移行する。これにより、宝石２が発する明度の高い光はいっそう明らかとなる。さらに、本実施例中では第一シェード５と第二シェード６が伝動ユニット１３Ｃの連動を受ける時、相互に対応し近くなり、或いは相互に遠くに離れる。
【００２５】
次に本考案の第７実施例による照明器具は図７に示すように、ランプケース１Ｄは第一ケース体１１Ｄ及び第二ケース体１２Ｄに分けて設置することが可能である。第一ケース体１１Ｄ及び第二ケース体１２Ｄは相互に接続し、一個のランプケース１Ｄを完成する。第一ケース体１１Ｄ及び第二ケース体１２Ｄの内周面には反射面１１１Ｄ、反射面１１２Ｄを設置し、ランプケース１Ｄの出光ルート上にはシェード７を設置する。シェード７は凸面７１を設置し、凸面７１上には折射面７２を設置する。こうして、発光部品３Ａが宝石２に対して発光する時、光源は宝石２により第一ケース体１１Ｄ及び第二ケース体１２Ｄの反射面１１１Ｄ反射面１１２Ｄ上にまで折射及び反射され、さらに反射面１１１Ｄ、１１２Ｄを通して、複数回の折射及び反射後に、シェード７上に投射される。さらにシェード７上に設置する折射面７２を通して、もう一度折射及び反射する。こうして目に鮮やかな光を形成することが可能となる。
【図面の簡単な説明】
【００２６】
【図１】本考案の第１実施例による照明器具を示す図である。
【図２】本考案の第２実施例による照明器具を示す図である。
【図３】本考案の第３実施例による照明器具を示す図である。
【図４】本考案の第４実施例による照明器具を示す図である。
【図５】本考案の第５実施例による照明器具を示す図である。
【図６】本考案の第６実施例による照明器具を示す図である。
【図７】本考案の第７実施例による照明器具を示す図である。
【符号の説明】
【００２７】
１  ランプケース、１Ａ  ランプケース、１Ｂ  ランプケース、１Ｃ  ランプケース、１Ｄ  ランプケース、２  宝石、３  発光部品、３Ａ  発光部品、４  嵌接リング、４Ａ  嵌接リング、５  第一シェード、６  第二シェード、７  シェード、１１  設置部、１１Ａ  設置部、１１Ｄ  第一ケース体、１２Ａ  欠口、１２Ｂ  欠口、１２Ｃ  滑移槽、１２Ｄ  第二ケース体、１３Ａ  伝動ユニット、１３Ｂ  伝動ユニット、１３Ｃ  伝動ユニット、１４Ａ  支持部、１４Ｂ  支持部、１５  導桿、２１  カッティング面、４１  歯車、４１Ａ  ソケット、４２  槽道、４２Ａ  枢孔、５１  凸面、５２  折射面、７１  凸面、７２  折射面、１１１Ｄ  反射面、１１２Ｄ  反射面、１３１Ａ  伝動輪、１３１Ｂ  伝動輪
【図１】
0003110149.tif 000003
【図２】
0003110149.tif 000004
【図３】
0003110149.tif 000005
【図４】
0003110149.tif 000006
【図５】
0003110149.tif 000007
【図６】
0003110149.tif 000008
【図７】
0003110149.tif 000009